(57)【要約】
【課題】ファンサービス向上のために３連勝を上回る多連勝や多重勝等の多様な賭式を導入した場合に対応し得る投票用マークカードを提供する。
【解決手段】２連勝および３連勝を含む多連勝の賭式の投票券を購入するための投票用マークカードの、多連勝の賭式を指定するための賭式記入エリア３に、４連勝の賭式および５連勝の賭式を指定するための選択肢を追設するとともに、多着順の組合せを指定するための番号記入エリア６に、４着および５着に対応する番号記入欄を追設し、ファンサービス向上のために将来的に３連勝を上回る多連勝（４連単、４連複、５連単、５連複等）の賭式が導入された場合に対応し得る投票用マークカードを提供する。
【選択図】図１
0003100312.tif 000002
【実用新案登録請求の範囲】
【請求項１】
　２連勝および３連勝を含む多連勝の賭式の投票券を購入するための投票用マークカードであって、
　前記多連勝の賭式を指定するための賭式記入エリアに、４連勝の賭式および５連勝の賭式を指定するための選択肢を追設するとともに、多着順の組合せを指定するための番号記入エリアに、４着および５着に対応する番号記入欄を追設したことを特徴とする投票用マークカード。
【請求項２】
　前記多着順の組合せを指定するための番号記入エリアの１着〜５着に対応する記入欄にそれぞれ、全番号を指定するための全番号記入欄を設け、前記１着〜５着に対応する全番号記入欄の少なくとも１つを用いて５連勝までの多着順の流し投票および全組合せ投票に対応するようにしたことを特徴とする請求項１記載の投票用マークカード。
【請求項３】
　前記多着順の組合せを指定するための番号記入エリアに、前記多着順の組合せを一括指定するためのボックス記入エリアを追設し、該ボックス記入エリアを用いて前記賭式記入エリアによって指定された多連勝賭式に対応する投票のための番号を２つ以上指定することにより５連勝までの多着順のボックス投票に対応するようにしたことを特徴とする請求項１記載の投票用マークカード。
【請求項４】
　前記多着順の組合せを指定するための番号記入エリアの１着〜５着に対応する記入欄にそれぞれ、全番号を指定するための全番号記入欄を設け、前記１着〜５着に対応する全番号記入欄の少なくとも１つを用いて５連勝までの多着順の流し投票および全組合せ投票に対応するようにするとともに、前記多着順の組合せを一括指定するためのボックス記入エリアに、前記賭式記入エリアによって指定された多連勝賭式に対応する投票のための番号を２つ以上指定するためのボックス記入欄を設け、該ボックス記入欄を用いて５連勝までの多着順のボックス投票に対応するようにしたことを特徴とする請求項１記載の投票用マークカード。
【請求項５】
　前記多着順の組合せを指定するための番号記入エリアに関連して、前記多着順の全組合せの中から前記番号記入エリアによって指定された組合せを除外するための取消記入欄を設け、前記多着順の全組合せから前記指定された組合せを除外した残りの組合せの投票に対応するようにしたことを特徴とする請求項１記載の投票用マークカード。
【請求項６】
　前記賭式記入エリアによって指定された多連勝賭式で投票を行うレースを指定するためのレース記入エリアと、該レース記入エリアによって指定されたレースに対する多着順の組合せを指定するための複数の番号記入エリアとを設け、指定された多連勝賭式で指定されたレースに対して複数ベット分の投票券を一括購入し得るようにしたことを特徴とする請求項１記載の投票用マークカード。
【請求項７】
　２連勝〜５連勝を含む多連勝の賭式の投票券を購入するための投票用マークカードであって、
　前記多連勝の賭式を指定するための賭式記入エリアによって指定された多連勝賭式に対応する多着順の組合せを指定するための番号記入エリアとして、所望の人気順位を最大５点まで指定するための人気順記入エリアおよび所望の配当順位を最大５点まで指定するための配当順記入エリアの少なくとも一方を設けて成るることを特徴とする投票用マークカード。
【請求項８】
　前記多連勝の賭式を指定するための賭式記入エリアによって指定された多連勝賭式に対応する多着順の組合せを指定するための番号記入エリアとして、システムが無作為抽出した組合せを最大５点まで指定するためのおまかせ記入エリアを追設したことを特徴とする請求項７記載の投票用マークカード。
【請求項９】
　２重勝〜８重勝を含む多重勝の賭式の投票券を購入するための投票用マークカードであって、
　前記多重勝の賭式を指定するための賭式記入エリアと、前記多重勝の賭式を指定するための賭式記入エリアによって指定された多重勝賭式に対応する投票のレースおよび番号の組合せを指定するための８組のレース記入エリアおよび番号記入エリアと、全ての投票に対して同一の購入金額を一括して指定するための購入金額記入エリアとを設けて成ることを特徴とする投票用マークカード。
【考案の詳細な説明】
【技術分野】
【０００１】
　本考案は、競輪、競馬、競艇、オートレース等の各種公営競技場において投票券を購入する際に用いられる投票用マークカードであって、４連勝および５連勝を含む多連勝や多重勝等の多様な賭式に対応し得るようにした投票用マークカードに関するものである。
【背景技術】
【０００２】
　競輪、競馬、競艇、オートレース等の各種公営競技場において投票券を購入する際に用いられる投票用マークカードとして現時点で通用しているものには、様々なレイアウトの投票用マークカードがある。
【０００３】
　近年、公営競技においても、全国的な不景気の煽りを受けて、売上低迷の状況にある。その対策として、新しい賭式を導入することによってファンの拡大や売上向上を図っており、その一環として、多連勝式の賭式の投票券である３連勝の投票券の発売を開始した。３連勝の投票券は、競艇を例に取って説明すると、通常１レースの出走艇が６艇なので３連勝単式の場合には１２０通りの組合せの投票が可能となることから、高額配当が出現する確率が必然的に高くなるので、ファンの購買欲を促進する結果をもたらしている。
【０００４】
　ファンの購買欲をさらに促進するためには、現在の最多連勝である３連勝を上回る多連勝（４連勝、５連勝等）のような新しい賭式を導入することが効果的である。新賭式を導入した場合、高額配当が出やすくなるため、投票券を購入するファンは、１つの投票条件（以下、１ベットという）当りの購入金額を抑えて、出来る限り多数のベットの投票券を購入する傾向が顕著になる。そのため、新賭式を導入する際には、ファンが投票券を購入しやすいマークカードを新たに開発する必要が生じる。
【考案の開示】
【考案が解決しようとする課題】
【０００５】
　ファンは、投票券を購入する際に、投票用マークカードに所望の投票条件を記入して購入するが、新しい賭式を導入した場合には、購入するベット数が増加することに伴い、投票用マークカードに所望の投票条件を記入する回数も増加することとなり、さらに、購入するベット数が増加することに伴い、使用する投票用マークカードの枚数も増加することとなる。また、投票時に多数のベットを一度に記入するため、ファン自身の頭の中が混乱して購入しようと考えていた投票条件の投票券の買い忘れや、同一投票条件の投票券の重複購入といった不具合も発生しやすくなる。
【０００６】
　本考案は、ファンサービス向上のために３連勝を上回る多連勝や多重勝等の多様な賭式を導入した場合に対応し得る投票用マークカードを提供することを目的とする。
【課題を解決するための手段】
【０００７】
　上記目的を達成するため、請求項１に記載の第１考案は、２連勝および３連勝を含む多連勝の賭式の投票券を購入するための投票用マークカードであって、前記多連勝の賭式を指定するための賭式記入エリアに、４連勝の賭式および５連勝の賭式を指定するための選択肢を追設するとともに、多着順の組合せを指定するための番号記入エリアに、４着および５着に対応する番号記入欄を追設したことを特徴とする。
【０００８】
　第１考案によれば、多連勝の賭式を指定するための賭式記入エリアには、２連勝および３連勝に加えて、４連勝の賭式および５連勝の賭式を指定するための選択肢が追設されており、多着順の組合せを指定するための番号記入エリアには、４着および５着に対応する番号記入欄が追設されているので、ファンサービス向上のために３連勝を上回る多連勝の賭式を導入した場合に対応し得る投票用マークカードを提供することができる。
【０００９】
　請求項２に記載の第２考案は、前記多着順の組合せを指定するための番号記入エリアの１着〜５着に対応する記入欄にそれぞれ、全番号を指定するための全番号記入欄を設け、前記１着〜５着に対応する全番号記入欄の少なくとも１つを用いて５連勝までの多着順の流し投票および全組合せ投票に対応するようにしたことを特徴とする。
【００１０】
　第２考案によれば、前記多着順の組合せを指定するための番号記入エリアの１着〜５着に対応する記入欄にはそれぞれ全番号を指定するための全番号記入欄が設けられており、前記１着〜５着に対応する全番号記入欄の少なくとも１つを用いて５連勝までの多着順の流し投票および全組合せ投票に対応するようになっているので、ファンサービス向上のために３連勝を上回る多連勝の賭式を導入した場合に、ファンは、非常に少ない記入回数で５連勝までの多着順の流し投票および全組合せ投票を行い得るようになり、投票用マークカードの使い勝手が向上する。
【００１１】
　請求項３に記載の第３考案は、前記多着順の組合せを指定するための番号記入エリアに、前記多着順の組合せを一括指定するためのボックス記入エリアを追設し、該ボックス記入エリアを用いて前記賭式記入エリアによって指定された多連勝賭式に対応する投票のための番号を２つ以上指定することにより５連勝までの多着順のボックス投票に対応するようにしたことを特徴とする。
【００１２】
　第３考案によれば、前記多着順の組合せを指定するための番号記入エリアには、前記多着順の組合せを一括指定するためのボックス記入エリアが追設されており、該ボックス記入エリアを用いて前記賭式記入エリアによって指定された多連勝賭式に対応する投票のための番号を２つ以上指定することにより５連勝までの多着順のボックス投票に対応するようになっているので、ファンは、非常に少ない記入回数で５連勝までの多着順のボックス投票を行い得るようになり、投票用マークカードの使い勝手が向上する。
【００１３】
　請求項４に記載の第４考案は、前記多着順の組合せを指定するための番号記入エリアの１着〜５着に対応する記入欄にそれぞれ、全番号を指定するための全番号記入欄を設け、前記１着〜５着に対応する全番号記入欄の少なくとも１つを用いて５連勝までの多着順の流し投票および全組合せ投票に対応するようにするとともに、前記多着順の組合せを一括指定するためのボックス記入エリアに、前記賭式記入エリアによって指定された多連勝賭式に対応する投票のための番号を２つ以上指定するためのボックス記入欄を設け、該ボックス記入欄を用いて５連勝までの多着順のボックス投票に対応するようにしたことを特徴とする。
【００１４】
　第４考案によれば、前記多着順の組合せを指定するための番号記入エリアの１着〜５着に対応する記入欄にはそれぞれ全番号を指定するための全番号記入欄が設けられており、前記１着〜５着に対応する全番号記入欄の少なくとも１つを用いて５連勝までの多着順の流し投票および全組合せ投票に対応するようになっているとともに、前記多着順の組合せを一括指定するためのボックス記入エリアには、前記賭式記入エリアによって指定された多連勝賭式に対応する投票のための番号を２つ以上指定するためのボックス記入欄が設けられており、該ボックス記入欄を用いて５連勝までの多着順のボックス投票に対応するようになっているため、ファンは、非常に少ない記入回数で５連勝までの多着順の流し投票および全組合せ投票ならびに５連勝までの多着順のボックス投票を行い得るようになり、投票用マークカードの使い勝手が向上する。
【００１５】
　請求項５に記載の第５考案は、前記多着順の組合せを指定するための番号記入エリアに関連して、前記多着順の全組合せの中から前記番号記入エリアによって指定された組合せを除外するための取消記入欄を設け、前記多着順の全組合せから前記指定された組合せを除外した残りの組合せの投票に対応するようにしたことを特徴とする。
【００１６】
　第５考案によれば、前記多着順の組合せを指定するための番号記入エリアに関連して、前記多着順の全組合せの中から前記番号記入エリアによって指定された組合せを除外するための取消記入欄が設けられており、前記多着順の全組合せから前記指定された組合せを除外した残りの組合せの投票に対応するようになっているので、ファンは、非常に少ない記入回数で、前記賭式記入エリア３で指定された賭式に対応する多着順の全組合せから所望の組合せを除外した残りの組合せの投票を行い得るようになり、投票用マークカードの使い勝手が向上する。
【００１７】
　請求項６に記載の第６考案は、前記賭式記入エリアによって指定された多連勝賭式で投票を行うレースを指定するためのレース記入エリアと、該レース記入エリアによって指定されたレースに対する多着順の組合せを指定するための複数の番号記入エリアとを設け、指定された多連勝賭式で指定されたレースに対して複数ベット分の投票券を一括購入し得るようにしたことを特徴とする。
【００１８】
　第６考案によれば、前記賭式記入エリアによって指定された多連勝賭式で投票を行うレースを指定するためのレース記入エリアと、該レース記入エリアによって指定されたレースに対する多着順の組合せを指定するための複数の番号記入エリアとが設けられており、指定された多連勝賭式で指定されたレースに対して複数ベット分の投票券を一括購入し得るようになっているので、ファンは、非常に少ない記入回数で、所望の多連勝賭式および所望のレースを指定して、そのレースに対して複数ベット分の投票券を一括購入することができるようになり、投票用マークカードの使い勝手が向上する。
【００１９】
　上記目的を達成するため、請求項７に記載の第７考案は、２連勝〜５連勝を含む多連勝の賭式の投票券を購入するための投票用マークカードであって、前記多連勝の賭式を指定するための賭式記入エリアによって指定された多連勝賭式に対応する多着順の組合せを指定するための番号記入エリアとして、所望の人気順位を最大５点まで指定するための人気順記入エリアおよび所望の配当順位を最大５点まで指定するための配当順記入エリアの少なくとも一方を設けて成るることを特徴とする。
【００２０】
　第７考案によれば、多連勝の賭式を指定するための賭式記入エリアによって指定された多連勝賭式に対応する多着順の組合せを指定するための番号記入エリアとして、所望の人気順位を最大５点まで指定するための人気順記入エリアおよび所望の配当順位を最大５点まで指定するための配当順記入エリアの少なくとも一方が設けられているので、ファンサービス向上のために３連勝を上回る多連勝の賭式を導入した場合に、「人気順」や「配当順」という、ファンサービス性が高い多様な投票形式に対応し得る投票用マークカードを提供することができる。
【００２１】
　請求項８に記載の第８考案は、前記多連勝の賭式を指定するための賭式記入エリアによって指定された多連勝賭式に対応する多着順の組合せを指定するための番号記入エリアとして、システムが無作為抽出した組合せを最大５点まで指定するためのおまかせ記入エリアを追設したことを特徴とする。
【００２２】
　第８考案によれば、前記多連勝の賭式を指定するための賭式記入エリアによって指定された多連勝賭式に対応する多着順の組合せを指定するための番号記入エリアとして、システムが無作為抽出した組合せを最大５点まで指定するためのおまかせ記入エリアが追設されているので、「人気順」や「配当順」に加えて、「システムが無作為抽出した組合せを最大５点まで購入する、おまかせ投票」という、ファンサービス性が高い多様な投票形式に対応し得る投票用マークカードを提供することができる。
【００２３】
　上記目的を達成するため、請求項９に記載の第９考案は、２重勝〜８重勝を含む多重勝の賭式の投票券を購入するための投票用マークカードであって、前記多重勝の賭式を指定するための賭式記入エリアと、前記多重勝の賭式を指定するための賭式記入エリアによって指定された多重勝賭式に対応する投票のレースおよび番号の組合せを指定するための８組のレース記入エリアおよび番号記入エリアと、全ての投票に対して同一の購入金額を一括して指定するための購入金額記入エリアとを設けて成ることを特徴とする
【００２４】
　第９考案によれば、投票用マークカードには、前記多重勝の賭式を指定するための賭式記入エリアと、前記多重勝の賭式を指定するための賭式記入エリアによって指定された多重勝賭式に対応する投票のレースおよび番号の組合せを指定するための８組のレース記入エリアおよび番号記入エリアと、全ての投票に対して同一の購入金額を一括して指定するための購入金額記入エリアとが設けられているので、ファンサービス向上のために２重勝〜８重勝を含む多重勝の賭式を導入した場合に対応し得る投票用マークカードを提供することができる。
【考案を実施するための最良の形態】
【００２５】
　以下、本考案を実施するための最良の形態を図面に基づき詳細に説明する。図１は本考案の第１実施形態の投票用マークカードの構成を例示する図である。本実施形態の投票用マークカードは、例えば競艇用に構成されており、図１に示すように、紙面上下端部に設けられた読み取りエリア認識用タイミングバー１と、紙面左端部には１列設けられ、紙面右端部には２列設けられたマークカード識別バー２と、２連勝〜５連勝を含む多連勝の各種賭式の中からファンが所望の賭式を指定するための賭式記入エリア３と、ファンが所望の開催場を指定するための開催場記入エリア４と、ファンが所望のレースを指定するためのレース記入エリア５と、賭式記入エリア３で指定された賭式に対応する多着順の組合せをファンが指定するための番号記入エリア６と、番号記入エリア６で指定された多着順の組合せに対する投票金額を指定するための金額記入エリア７および金額単位記入エリア８と、番号記入エリア６に関連して番号記入エリア６と同一ライン上に設けられ、賭式記入エリア３で指定された賭式に対応する多着順の全組合せの中から番号記入エリア６によって指定された多着順の組合せを除外した残りの組合せの投票券を金額記入エリア７および金額単位記入エリア８によって指定された金額分購入するための取り消し記入エリア９とを具備して成る。
【００２６】
　上記賭式記入エリア３には、図示例の場合、２連単、３連単、４連単、５連単、２連複、３連複、４連複、５連複、拡連複（ワイド）の選択肢が記載されており、ファンは、上記賭式記入エリア３の選択肢の中の１つだけを塗りつぶすことにより所望の賭式を指定することができる。上記において、「４連単」とは、１着から４着までの番号を着順通り的中させる賭式であり、「４連複」とは、１着から４着までに入る番号を的中させる賭式である。この賭式記入エリア３は、現在賭式として採用されている２連単、３連単、２連複、３連複、拡連複（ワイド）に加えて、将来的に３連勝を越える多連勝（４連単、５連単、４連複、５連複）の賭式が採用された場合にも対応可能に構成されている。なお、上記賭式記入エリア３には、上記賭式に加えて、他の賭式（単勝、複勝、６連単、６連複等）の選択肢を記載することも可能である。
【００２７】
　上記開催場記入エリア４には、「併売Ａ場」、「併売Ｂ場」、「前日発売」という３つの選択肢が記載されており、ファンは、上記開催場記入エリア４の選択肢の中の１つだけを塗りつぶすことにより所望の開催場を指定することができる。
　上記レース記入エリア５には、第１レース〜第１２レースに対応する１〜１２の数字が記載されており、ファンは、上記レース記入エリア５の数字の中の１つだけを塗りつぶすことにより所望のレースを指定することができる。
【００２８】
　上記番号記入エリア６には、図示のような１着〜５着に対応する記入欄が設けられており、各記入欄にはそれぞれ、投票対象を指定するための１〜６の数字が記載されており、ファンは、上記各記入欄の１〜６の数字の中の１つだけを塗りつぶすことにより所望の投票対象を指定することができる。
　上記金額記入エリア７には、１〜５の数字および１０〜５０の数字が記載されており、上記金額単位記入エリア８には、投票金額の単位を指定するための選択肢である「万円」、「千円」、「百円」が記載されている。ファンは、１〜５の数字の何れか１つ、１０〜５０の数字の何れか１つの一方または双方を塗りつぶすとともに、「万円」、「千円」、「百円」の何れか１つを塗りつぶすことにより所望の投票金額を指定することができる。例えば、数字の１０、数字の１および「万円」を塗りつぶした場合の投票金額は、（１０＋１）×万円＝１１万円となり、数字の５および「千円」を塗りつぶした場合の投票金額は、５×千円＝５千円となる。
【００２９】
　上記番号記入エリア６、金額記入エリア７、金額単位記入エリア８および取り消し記入エリア９を用いて、上記開催場記入エリア４で指定された開催場の、上記レース記入エリア５で指定されたレースに対して、上記賭式記入エリア３で指定された賭式での１つの投票条件（以下、１ベットという）を指定することができ、図示例では、１枚の投票用マークカードで最大５ベット分の投票券を一括購入することができる。なお、ファンが記入済みの投票用マークカードは図示しない読み取り装置によって記入内容が読み取られ、投票券の発券処理が行われることになるが、その際、ファンの誤記等により「存在しない組合せとなる投票条件」が記入されていた場合には、当該投票条件の投票券は発券しないように構成されているものとする。
【００３０】
　本実施形態によれば、投票用マークカードの多連勝の賭式を指定するための賭式記入エリア３には、２連勝および３連勝に加えて、４連勝の賭式および５連勝の賭式を指定するための選択肢が追設されており、多着順の組合せを指定するための番号記入エリア６にはそれぞれ、４着および５着に対応する番号記入欄が追設されているので、ファンサービス向上のために将来的に３連勝を上回る多連勝（４連勝、５連勝）の賭式が導入された場合に対応し得る投票用マークカードを提供することができる。
【００３１】
　また、本実施形態によれば、投票用マークカードの多着順の組合せを指定するための番号記入エリア６に関連して、賭式記入エリア３で指定された賭式に対応する多着順の全組合せの中から番号記入エリア６によって指定された多着順の組合せを除外した残りの組合せの投票券を金額記入エリア７および金額単位記入エリア８によって指定された金額分購入するための取り消し記入エリア９が設けられているので、ファンは、非常に少ない記入回数で、賭式記入エリア３で指定された賭式に対応する多着順の全組合せから所望の組合せを除外した残りの組合せの投票を行い得るようになり、投票用マークカードの使い勝手が向上する。
【００３２】
　また、本実施形態によれば、投票用マークカードの賭式記入エリア３によって指定された多連勝賭式で投票を行うレースを指定するためのレース記入エリア５と、レース記入エリア５によって指定されたレースに対する多着順の組合せを指定するための複数の番号記入エリア６とが設けられており、指定された多連勝賭式で指定されたレースに対して複数ベット分の投票券を一括購入し得るようになっているので、ファンは、非常に少ない記入回数で、所望の多連勝賭式および所望のレースを指定して、そのレースに対して複数ベット分の投票券を一括購入することができるようになり、投票用マークカードの使い勝手が向上する。
【００３３】
　図２は本考案の第２実施形態の投票用マークカードの構成を例示する図である。本実施形態の投票用マークカードは、例えば競艇用に構成されており、図２に示すように、紙面上下端部に設けられた読み取りエリア認識用タイミングバー１と、紙面左端部には１列設けられ、紙面右端部には２列設けられたマークカード識別バー２と、２連勝〜５連勝を含む多連勝の各種賭式の中からファンが所望の賭式を指定するための賭式記入エリア３と、ファンが所望の開催場を指定するための開催場記入エリア４と、ファンが所望のレースを指定するためのレース記入エリア５と、賭式記入エリア３で指定された賭式に対応する多着順の組合せを「流し」によってファンが指定するための番号記入エリア６と、番号記入エリア６で指定された多着順の組合せに対する「流し投票」の投票金額を指定するための金額記入エリア７および金額単位記入エリア８と、番号記入エリア６に関連して番号記入エリア６と同一ライン上に設けられ、番号記入エリア６、金額記入エリア７および金額単位記入エリア８によって指定された「流し投票」の投票券の購入を取り消すための取り消し記入エリア９と、賭式記入エリア３で指定された賭式に対応する多着順の組合せを「ボックス」によってファンが一括指定するためのボックス記入エリア１０と、ボックス記入エリア１０で指定された多着順の組合せに対する「ボックス投票」の投票金額を指定するための金額記入エリア１１および金額単位記入エリア１２と、ボックス記入エリア１０に関連してボックス記入エリア１０と同一ライン上に設けられ、ボックス記入エリア１０、金額記入エリア１１および金額単位記入エリア１２によって指定された「ボックス投票」の投票券の購入を取り消すための取り消し記入エリア１３とを具備して成る。
【００３４】
　上記番号記入エリア６の１着〜５着に対応する記入欄にはそれぞれ、全番号を指定するための全番号記入欄（図示例では「全通り」と記載されている）が設けられている。そのため、例えば、将来的に５連複という賭式が導入された場合には、１着〜５着の何れか１つの着に対応する記入欄の１〜６の番号の何れか１つを塗りつぶすとともに、残りの着に対応する記入欄の全番号記入欄を塗りつぶすことにより、「５連複の流し投票」の投票券を購入することができる。この場合、１着〜５着の何れか１つの着に対応する記入欄は１点しか塗りつぶすことができないが、残りの着に対応する記入欄は最大６点に達するまで何点でも塗りつぶすことができるという、流し投票の制限条件が設けられている。
　なお、上記流し投票の制限条件を撤廃して、１着〜５着の全て着に対応する記入欄の全番号記入欄を塗りつぶすことにより、「５連単や５連複の全組合せ投票」の投票券を購入することができるようにすることも可能である。
【００３５】
　上記ボックス記入エリア１０には、枠番や組番等に対応する１〜６の数字が記載されている。ボックス投票を行う際には、賭式記入エリア３で指定された賭式がｎ連勝の場合、１〜６の数字の中からｎ点以上を選択して塗りつぶすことにより（２連単／２連複は２点以上、３連単／３連複は３点以上、４連単／４連複は４点以上、５連単／５連複は５点以上、塗りつぶすことにより）、「２連勝から５連勝までの多着順のボックス投票」の投票券を購入することができる。なお、上記ボックス記入エリア１０内の１〜６の数字の全てを塗りつぶした場合には、「賭式記入エリア３で指定された賭式に対応する多着順の全組合せ投票」の投票券を購入することができる。また、賭式記入エリア３には、上記賭式に加えて、他の賭式（単勝、複勝、６連単、６連複等）の選択肢を記載することも可能である。
【００３６】
　上記番号記入エリア６、金額記入エリア７、金額単位記入エリア８および取り消し記入エリア９を用いる「流し投票」の投票券および、上記ボックス記入エリア１０、金額記入エリア１１、金額単位記入エリア１２および取り消し記入エリア１３を用いる「ボックス投票」の投票券は、何れか一方のみを購入することが可能であり、仮に、「流し投票」および「ボックス投票」の記入エリアの双方に投票条件が記入されていた場合には、当該投票用マークカードは、無効にするものとする。
　なお、「流し投票」および「ボックス投票」の記入エリアはぞれそれぞれ１投票分しか設けられていないので、購入する投票券の購入金額は全て同一金額になることは言うまでもない。
【００３７】
　本実施形態によれば、投票用マークカードの多着順の組合せを指定するための番号記入エリア６の１着〜５着に対応する記入欄にはそれぞれ全番号を指定するための全番号記入欄が設けられており、前記１着〜５着に対応する全番号記入欄の少なくとも１つを用いて５連勝までの多着順の流し投票および全組合せ投票に対応するようになっており、また、投票用マークカードの多着順の組合せを一括指定するためのボックス記入エリア１０には、賭式記入エリア３によって指定された多連勝賭式に対応する投票のための番号を２つ以上指定するためのボックス記入欄が設けられているので、該ボックス記入欄を用いて５連勝までの多着順のボックス投票に対応するようになっているので、ファンは、非常に少ない記入回数で、５連勝までの多着順の流し投票および全組合せ投票ならびに５連勝までの多着順のボックス投票を行い得るようになり、投票用マークカードの使い勝手が向上する。
【００３８】
　また、本実施形態によれば、例えば競艇の場合、通常１レースの出走艇が６艇なので、３連単の全組合せ投票券の購入時に、従来は１２０ベット分の記入が必要であったところが、上記投票用マークカードを用いることにより、１回の記入で購入することが可能になるため、ファンの投票券購入時の記入の手間が大幅に削減され、ファンの利便性が向上するとともに、ファン自身が投票券購入時の多数の記入によって混乱することが防止されるので、買い忘れや重複買いが防止されることになる。さらに、現行の賭式も含めて、将来的に追加されることが予想される４連勝および５連勝を含む多連勝等の賭式にも対応し得るるようにしたことにより、投票用マークカードの使用量が大幅に減少することになり、運用コストが低減されるとともに、エコロジーに寄与することにもなる。
【００３９】
　図３は本考案の第３実施形態の投票用マークカードの構成を例示する図である。本実施形態の投票用マークカードは、例えば競艇用に構成されており、図３に示すように、紙面上下端部に設けられた読み取りエリア認識用タイミングバー１と、紙面左端部には１列設けられ、紙面右端部には２列設けられたマークカード識別バー２と、２重勝〜８重勝を含む多重勝の各種賭式の中からファンが所望の賭式を指定するための賭式記入エリア３と、ファンが所望の開催場を指定するための開催場記入エリア４と、賭式記入エリア３によって指定された多重勝賭式に対応する投票のレースおよび番号の組合せを指定するための８組（８ベット）のレース記入エリア５および番号記入エリア６と、全ての投票に対して同一の購入金額を一括して指定するための購入金額記入エリア（金額記入エリア７および金額単位記入エリア８）と、レース記入エリア５および番号記入エリア６に関連してレース記入エリア５および番号記入エリア６と同一ライン上に設けられ、レース記入エリア５、番号記入エリア６、金額記入エリア７および金額単位記入エリア８によって指定された投票券の購入を取り消すための取り消し記入エリア９とを具備して成る。なお、３重勝等のｎ重勝とは、ｎレースの全ての１着を的中させる賭式であり、現在、日本国内の公営競技場では採用されていないが、当たる確率が低いため、高配当が予想される賭式である。また、賭式記入エリア３には、上記賭式に加えて、他の賭式（複勝、２連単、２連複等）の選択肢を記載することも可能である。
【００４０】
　上記レース記入エリア５には、１〜１２レースに対応する数字が記載されており、上記番号記入エリア６には、投票対象を指定するための１〜６の数字が記載されているので、賭式記入エリア３によって指定された多重勝賭式が例えば８重勝である場合には、上記８ベット分のレース記入エリア５および番号記入エリア６のそれぞれの所望の番号を塗りつぶすとともに、金額記入エリア７および金額単位記入エリア８を用いて、８ベット分の投票に対して同一の購入金額を一括して指定することにより、８重勝の投票券を購入することができる。
【００４１】
　本実施形態によれば、投票用マークカードには、２重勝〜８重勝を含む多重勝の賭式を指定するための賭式記入エリア３と、賭式記入エリア３によって指定された多重勝賭式に対応する投票のレースおよび番号の組合せを指定するための８組のレース記入エリア５および番号記入エリア６と、全ての投票に対して同一の購入金額を一括して指定するための購入金額記入エリア（金額記入エリア７および金額単位記入エリア８）とが設けられているので、ファンサービス向上のために２重勝〜８重勝を含む多重勝の賭式を導入した場合に対応し得る投票用マークカードを提供することができる。
【００４２】
　図４は本考案の第３実施形態の投票用マークカードの構成を例示する図である。本実施形態の投票用マークカードは、例えば競艇用に構成されており、図４に示すように、紙面上下端部に設けられた読み取りエリア認識用タイミングバー１と、紙面左端部には１列設けられ、紙面右端部には２列設けられたマークカード識別バー２と、２連勝〜５連勝を含む多連勝の各種賭式の中からファンが所望の賭式を指定するための賭式記入エリア３と、ファンが所望の開催場を指定するための開催場記入エリア４と、ファンが所望のレースを指定するためのレース記入エリア５と、賭式記入エリア３によって指定された多連勝賭式に対応する多着順の組合せを指定するための番号記入エリアとしての、所望の人気順位を最大５点まで指定するための人気順記入エリア１４と、人気順記入エリア１４で指定された多着順の組合せに対する投票金額を指定するための金額記入エリア１５および金額単位記入エリア１６と、人気順記入エリア１４、金額記入エリア１５および金額単位記入エリア１６によって指定された投票券の購入を取り消すための取り消し記入エリア１７と、賭式記入エリア３によって指定された多連勝賭式に対応する多着順の組合せを指定するための番号記入エリアとしての、所望の配当順位を最大５点まで指定するための配当順記入エリア１８と、配当順記入エリア１８で指定された多着順の組合せに対する投票金額を指定するための金額記入エリア１９および金額単位記入エリア２０と、配当順記入エリア１８、金額記入エリア１９および金額単位記入エリア２０によって指定された投票券の購入を取り消すための取り消し記入エリア２１と、賭式記入エリア３によって指定された多連勝賭式に対応する多着順の組合せを指定するための番号記入エリアとしての、システムが無作為抽出した組合せを最大５点まで指定するためのおまかせ記入エリア２２と、おまかせ記入エリア２２で指定された多着順の組合せに対する投票金額を指定するための金額記入エリア２３および金額単位記入エリア２４と、おまかせ記入エリア２２、金額記入エリア２３および金額単位記入エリア２４によって指定された投票券の購入を取り消すための取り消し記入エリア２５とを具備して成る。なお、「人気順」、「高配当順」および「おまかせ」の投票様式は、まだ、日本国内の公営競技場では採用されていない。また、賭式記入エリア３には、上記賭式に加えて、他の賭式（単勝、複勝、６連単、６連複等）の選択肢を記載することも可能である。
【００４３】
　上記人気順記入エリア１４には、人気順１位〜１０位に対応する数字が記載されており、上記配当順記入エリア１８には、配当順１位〜１０位に対応する数字が記載されており、上記おまかせ記入エリア２２には、ベット数を指定するための１〜５の数字が記載されているので、ファンは、人気順記入エリア１４、配当順記入エリア１８、おまかせ記入エリア２２の何れか１つを用いて所望の数字を塗りつぶし、対応する金額記入エリアおよび金額単位記入エリアを用いて所望の投票金額を指定することにより、「賭式記入エリア３で指定された賭式に対応する多着順の、人気順／高配当順／おまかせによる投票」の投票券を購入することができる。なお、人気順記入エリア１４、配当順記入エリア１８、おまかせ記入エリア２２の２つ以上の記入エリアに投票条件が記入されていた場合には、当該投票用マークカードは、無効にするものとする。
【００４４】
　本実施形態によれば、賭式記入エリア３によって指定された多連勝賭式に対応する多着順の組合せを指定するための番号記入エリアとして、所望の人気順位を最大５点まで指定するための人気順記入エリア１４および所望の配当順位を最大５点まで指定するための配当順記入エリア１８が設けられているので、ファンサービス向上のために３連勝を上回る多連勝の賭式を導入した場合に、「人気順」や「配当順」という、ファンサービス性が高い多様な投票形式に対応し得る投票用マークカードを提供することができる。また、人気順記入エリア１４および配当順記入エリア１８の指定数は、任意に増減することも可能である。また、人気順記入エリア１４および配当順記入エリア１８の順位は、他の順位（５０位、１００位等）の選択肢を記載することも可能である。
【００４５】
　また、本実施形態によれば、賭式記入エリア３によって指定された多連勝賭式に対応する多着順の組合せを指定するための番号記入エリアとして、システムが無作為抽出した組合せを最大５点まで指定するためのおまかせ記入エリア２２が設けられているので、「システムが無作為抽出した組合せを最大５点まで購入する、おまかせ投票」という、ファンサービス性が高い多様な投票形式に対応し得る投票用マークカードを提供することができる。また、おまかせ記入エリア２２の指定数は、任意に増減することも可能である。
【図面の簡単な説明】
【００４６】
【図１】本考案の第１実施形態の投票用マークカードの構成を例示する図である。
【図２】本考案の第２実施形態の投票用マークカードの構成を例示する図である。
【図３】本考案の第３実施形態の投票用マークカードの構成を例示する図である。
【図４】本考案の第４実施形態の投票用マークカードの構成を例示する図である。
【符号の説明】
【００４７】
　１　読み取りエリア認識用タイミングバー
　２　マークカード識別バー
　３　賭式記入エリア
　４　開催場記入エリア
　５　レース記入エリア
　６　番号記入エリア
　７，１１，１５，１９，２３　金額記入エリア
　８，１２，１６，２０，２４　金額単位記入エリア
　９，１３，１７，２１，２５　取り消し記入エリア
　１０　ボックス記入エリア
　１４　人気順記入エリア
　１８　配当順記入エリア
　２２　おまかせ記入エリア
【図１】
0003100312.tif 000003
【図２】
0003100312.tif 000004
【図３】
0003100312.tif 000005
【図４】
0003100312.tif 000006